(57)【特許請求の範囲】
【請求項１】
第１コアに第１シートがロール状に巻かれた第１内容物と、第２コアに第２シートがロール状に巻かれた第２内容物とを、前記第１内容物を前記第２内容物の第２コア内に配置して収納するパックケースであって、
前記第１コアを保持せず、前記第１シートの下端部のみを巻厚方向略全幅にわたって保持する第１シート下端保持部、前記第２コアを保持せず、前記第２シートの下端部のみを巻厚方向全幅にわたって保持する第２シート下端保持部、及び、本体側嵌合部を有するケース本体と、
前記第１コアを保持せず、前記第１シートの上端部のみを保持する第１シート上端保持部、前記第２コアを保持せず、前記第２シートの上端部のみを巻厚方向全幅にわたって保持する第２シート上端保持部、及び、前記本体側嵌合部と嵌合する蓋体側嵌合部を有するケース蓋体と、
を備えたことを特徴とするパックケース。
【請求項２】
請求項１に記載のパックケースにおいて、
前記ケース本体に装着され、前記第２コアを保持せず、前記第２シートの下端部のみを巻厚方向全幅にわたって保持する第２シート下端保持部を有する本体側第２内容物用スペーサと、
前記ケース蓋体に装着され、前記第２コアを保持せず、前記第２シートの上端部のみを巻厚方向全幅にわたって保持する第２シート上端保持部を有する蓋体側第２内容物用スペーサと、
を備えたことを特徴とするパックケース。
【請求項３】
請求項２に記載のパックケースにおいて、
前記本体側第２内容物用スペーサと前記蓋体側第２内容物用スペーサとは、
前記第２内容物の第２シートの幅に応じて、複数用意されていること、
を特徴とするパックケース。
【請求項４】
請求項１から請求項３までのいずれか１項に記載のパックケースにおいて、
前記第１内容物の第１シートの幅が異なる場合に使用され、前記第１シートの上端部を保持する第１シート上端保持部を有する蓋体側第１内容物用スペーサを更に備えること、
を特徴とするパックケース。
【発明の詳細な説明】
【０００１】
【発明の属する技術分野】
本発明は、熱転写用リボンとロール状受像シート等のように、異なる内容物を一緒に収容するパックケースに関するものである。
【０００２】
【従来の技術】
図６は、従来例によるパックケースの一例を示す図である。
従来のパックケース１１０は、例えば、それぞれ別工程で包装された包装済みフィルムリボン１６０と包装済みロール状受像紙１７０とを、梱包工程で一緒に梱包するようにしていた。
【０００３】
【発明が解決しようとする課題】
しかし、前述した従来の技術では、包装済みフィルムリボン１６０は、リサイクルマーク１６１及びラベル１６２の上下を確認して収容しなければならない。また、包装済みロール状受像紙１７０も、リサイクルマーク１７１及び包装の開閉部１７２の上下を確認して収容しなければならない。さらに、フィルムリボン１６０と包装済みロール状受像紙１７０とは、リサイクルマーク１６１及びラベル１６２と、リサイクルマーク１７１とが、同じ側（図６の場合には右側）となるように収容しなければならない。このため、梱包に手間がかかる、という問題があった。
【０００４】
また、フィルムリボン１６０やロール状受像紙１７０は、幅が異なるものがあり、それぞれの幅に対して、包装装置の設定を行なったり、パックケース１１０を複数用意しなければならず、梱包工程に手間やコストがかかっていた。
【０００５】
さらに、フィルムリボン１６０やロール状受像紙１７０は、輸送中に、巻きズレが発生する可能性があるので、巻きズレ防止手段として、テープや専用の止め具などを、用意する必要があった。
【０００６】
本発明の課題は、梱包作業の手間を省き、しかも、確実に内容物の支持固定ができるパックケースを提供することである。
【０００７】
【課題を解決するための手段】
前記課題を解決するために、請求項１の発明は、第１コア（６１）に第１シート（６２）がロール状に巻かれた第１内容物（６０）と、第２コア（７１）に第２シート（７２）がロール状に巻かれた第２内容物（７０）とを、前記第１内容物を前記第２内容物の第２コア内に配置して収納するパックケース（１０）であって、前記第１コアを保持せず、前記第１シートの下端部のみを巻厚方向略全幅にわたって保持する第１シート下端保持部（２１）、前記第２コアを保持せず、前記第２シートの下端部のみを巻厚方向全幅にわたって保持する第２シート下端保持部（５１）、及び、本体側嵌合部（２２）を有するケース本体（２０）と、前記第１コアを保持せず、前記第１シートの上端部のみを保持する第１シート上端保持部（３１）、前記第２コアを保持せず、前記第２シートの上端部のみを巻厚方向全幅にわたって保持する第２シート上端保持部（５１）、及び、前記本体側嵌合部と嵌合する蓋体側嵌合部（３２）を有するケース蓋体（３０）と、を備えたことを特徴とするパックケースである。
【０００８】
請求項２の発明は、請求項１に記載のパックケースにおいて、前記ケース本体に装着され、前記第２コアを保持せず、前記第２シートの下端部のみを巻厚方向全幅にわたって保持する第２シート下端保持部（５１）を有する本体側第２内容物用スペーサ（５０Ａ）と、前記ケース蓋体に装着され、前記第２コアを保持せず、前記第２シートの上端部のみを巻厚方向全幅にわたって保持する第２シート上端保持部（５１）を有する蓋体側第２内容物用スペーサ（５０Ｂ）と、を備えたことを特徴とするパックケースである。
【０００９】
請求項３の発明は、請求項２に記載のパックケースにおいて、前記本体側第２内容物用スペーサ（５０Ａ）と前記蓋体側第２内容物用スペーサ（５０Ｂ）とは、前記第２内容物の第２シートの幅に応じて、複数用意されていること、を特徴とするパックケースである。
【００１０】
請求項４の発明は、請求項１から請求項３までのいずれか１項に記載のパックケースにおいて、前記第１内容物の第１シートの幅が異なる場合に使用され、前記第１シートの上端部を保持する第１シート上端保持部（４１）を有する蓋体側第１内容物用スペーサ（４０）を更に備えること、を特徴とするパックケースである。
【００１１】
【発明の実施の形態】
以下、図面などを参照しながら、本発明の実施の形態をあげて、さらに詳しく説明する。
図１は、本発明によるパックケースの実施形態を示す図であって、パックケース１０に熱転写用リボン（第１内容物）６０と、ロール状受像シート（第２内容物）７０を梱包した状態を示す図である。
本実施形態のパックケース１０は、ケース本体２０と、ケース蓋体３０とからなり、必要に応じて、フィルム用スペーサ４０、ペーパ用スペーサ５０が使用され、寸法の異なる２種類の熱転写用リボン（第１内容物）６０及びロール状受像シート（第２内容物）７０を収容することができる。
【００１２】
図２は、本実施形態によるパックケースのケース本体２０を示す図である。
ケース本体２０は、熱転写リボン６０のリボン６２の下端部を保持するリボン下端保持部２１、及び、本体側嵌合部２２を有している。
【００１３】
図３は、本実施形態によるパックケースのケース蓋体３０を示す図である。
ケース蓋体３０は、熱転写リボン６０のリボン６２の上端部を保持するリボン上端保持部３１、及び、本体側嵌合部２２と嵌合する蓋体側嵌合部３２を有している。
なお、本体側嵌合部２２，蓋体側嵌合部３２は、それぞれ落下試験に耐えうる嵌合強度としてある。
【００１４】
図４は、本実施形態によるパックケースのフィルム用スペーサ４０を示す図である。
フィルム用スペーサ４０は、熱転写リボン６０のリボン６２の幅が異なる場合に使用され、熱転写リボン６０の上端部を保持するリボン上端保持部４１を有している。
フィルム用スペーサ４０は、部分的な巻きずれが起こらないように、少なくとも一個所以上に、ボビン６１上に巻かれたリボン６２の巻厚方向全幅にわたって保持する部分を設けることが好ましい。
【００１５】
図５は、本実施形態によるパックケースのペーパ用スペーサ５０を示す図である。
ペーパ用スペーサ５０は、ケース本体２０又はケース蓋体３０に装着され、ロール状受像シート７０のシート７２の下端部又は上端部を保持するシート端保持部５１を有している。
このペーパ用スペーサ５０は、ロール状受像シート７０のシート７２の幅に応じて、高さＡの異なるものが複数（ここでは、２種類）用意されている。
フィルム用スペーサ５０は、部分的な巻きずれが起こらないように、少なくとも一個所以上に、コア７１上に巻かれた受像紙７２の巻厚方向全幅にわたって保持する部分を設けることが好ましい。
【００１６】
第１内容物である熱転写用リボン６０は、内径φ１４ｍｍ、外径φ２０ｍｍの円筒状樹脂製のボビン６１に巻かれている。リボン幅とボビン幅は、同じ長さであり、９３ｍｍ、１０６ｍｍの２種類ある。
また、第２内容物であるロール状受像シート７０は、内径φ８７ｍｍ、外径φ９５ｍｍの円筒状樹脂製のコア７１に巻かれている。コア７１の長さは、１２６ｍｍでシート幅より長い。シート幅は、８９ｍｍ、１０２ｍｍの２種類ある。
【００１７】
そして、第１及び第２内容物は、以下の組み合わせによってセットされる。
（１）リボン幅９３ｍｍの第１内容物  ：シート幅８９ｍｍの第２内容物
（２）リボン幅１０６ｍｍの第１内容物：シート幅１０２ｍｍの第２内容物
【００１８】
次に、本実施形態のパックケースの使用方法を説明する。
（１）の場合には、第１内容物の熱転写リボン６０の梱包は、ケース本体２０に、ペーパ用スペーサ（８９ｍｍ用）５０、第２内容物のロール状受像シート７０の順にセットし、第１内容物の熱転写リボン６０を、第２内容物のロール状受像シート７０のコア７１の中に入れ込んで、セットする。
そして、ペーパ用スペーサ（８９ｍｍ用）５０，フィルム用スペーサ４０を、この順にセットし、ケース蓋体２０を上から被せ、嵌合部２２，２３をはめ込み、図１の状態となる。
【００１９】
ここで、第２内容物のロール状受像シート７０は、上下２つのペーパ用スペーサ５０の保持部５１により、受像紙７２の端部のみが保持され、コア７１は、保持されない。これは、このパックケース１０を搬送するときに、紙７２の巻ずれを防ぐという重要な機能を果たしている。
【００２０】
また、第１内容物の熱転写用リボン６０は、ケース本体２０の保持部２１と、フィルム用スペーサ４０の保持部４１により、リボン６２が保持される。これは、このパックケース１０を搬送するときに、リボン６２の巻ずれを防ぐという重要な機能を果たしている。
【００２１】
（２）の場合には、第１内容物の熱転写リボン６０の梱包は、ケース本体２０にペーパ用スペーサ（１００ｍｍ用）４０、第２内容物のロール状受像シート７０の順にセットし、第１内容物の熱転写リボン６０を、第２内容物のロール状受像シート７０のコア７１の中に入れ込んでセットする。
そして、ペーパ用スペーサ（１００ｍｍ用）４０をセットしたケース蓋体３０を上から被せ、嵌合部２２，２３をはめ込む。
【００２２】
ここで、第２内容物のロール状受像シート７０は、上下２つのペーパ用スペーサ５０の保持部５１により、受像紙７２の端部のみが保持され、コア７１は、保持されない。これは、このパックケース１０を搬送するときに、紙７２の巻ずれを防ぐという重要な機能を果たしている。
また、第１内容物の熱転写用リボン６０は、ケース本体２０の保持部２１とケース蓋体３０の保持部３１によりリボン６２が保持される。これは、このパックケース１０を搬送するときに、リボン６２の巻ずれを防ぐという重要な機能を果たしている。
【００２３】
以上説明した実施形態に限定されることなく、種々の変形や変更が可能であって、それらも本発明の均等の範囲内である。
例えば、フィルム用スペーサ５０は、必ず使用する必要はなく、上側のスペーサ５０Ｂのみを使用したり、保持部５１をケース本体２０やケース蓋体３０に形成して、省略することもできる。
【００２４】
【発明の効果】
以上詳しく説明したように、本発明によれば、第１及び第２内容物を収容して、各嵌合部をはめ込むだけで、梱包できるので、梱包の作業を大幅に短縮することができる。
また、スペーサを用いるので、寸法が異なる内容物に対して、同一のケース本体，ケース蓋体を使用でき、コストダウンを図ることができる。
さらに、梱包後に、各保持部で各内容物のシートを保持できるので、別途のシールや固定具などを用いることなく、巻きずれを防止することができる。
さらにまた、第２内容物のコアの内部の空きスペースに、第１内容物を入れ込むことができるので、全体の梱包体積を小さくすることが可能になった。
【図面の簡単な説明】
【図１】本発明によるパックケースの実施形態を示す図であって、パックケース１０に熱転写用リボン（第１内容物）６０と、ロール状受像シート（第２内容物）７０を梱包した状態を示す図である。
【図２】本実施形態によるパックケースのケース本体２０を示す図である。
【図３】本実施形態によるパックケースのケース蓋体３０を示す図である。
【図４】本実施形態によるパックケースのフィルム用スペーサ４０を示す図である。
【図５】本実施形態によるパックケースのペーパ用スペーサ５０を示す図である。
【図６】従来のパックケースの一例を示す図である。
【符号の説明】
１０  パックケース
２０  ケース本体
３０  ケース蓋体
４０  フィルム用スペーサ
５０  ペーパ用スペーサ
６０  熱転写用リボン（第１内容物）
７０  ロール状受像シート（第２内容物）
【図１】
0004346762.tif 000002
【図２】
0004346762.tif 000003
【図３】
0004346762.tif 000004
【図４】
0004346762.tif 000005
【図５】
0004346762.tif 000006
【図６】
0004346762.tif 000007